(57)【要約】【課題】デザイン的に斬新であり、かつ、構造的に支承なく閉傘することを可能とした渦巻き傘を提供する。【解決手段】開傘時の下ロクロ１６の上昇に伴って受け骨２２及び親骨２１を介して開かれるとともに複数の親骨２１を渦巻き状に湾曲させる張布３０を備え、張布３０は、張布本体３１と、張布本体３１の中央に上方に向かって凸状に形成されたポケット部３２とを有し、ポケット部３２は、上端に上ロクロ１４に固定された頂部３２ａを有し、下端に下方に向かって開口する開口部３２ｂを有するとともに、閉傘時に親骨２１が略直線状に復元されるのを許容する。【選択図】図１
2012139426.tif 000002
【特許請求の範囲】
【請求項１】
手元からフローシャフトに向かって延びる中棒の前記手元側を下、前記フローシャフト側を上としたときに、下ロクロを中棒に沿って上昇させることで開傘し、下降させることで閉傘させる渦巻き傘において、
前記フローシャフトに取り付けられた上ロクロと、
前記上ロクロよりも前記手元側に配設されて前記中棒に沿って昇降可能な前記下ロクロと、
前記中棒における前記上ロクロと前記下ロクロとの間に取り付けられた中ロクロと、
基端側が前記中ロクロによって上下方向揺動可能に支持されるとともに前記中ロクロの周方向に沿って複数本配設された可撓性の親骨と、
基端側が前記下ロクロによって上下方向揺動可能に支持されるとともに先端側が前記親骨の中間部に揺動可能に連結された複数の受け骨と、
外周縁に沿った複数箇所にそれぞれ前記親骨の先端が固定され、前記開傘時の前記下ロクロの上昇に伴って前記受け骨及び前記親骨を介して開かれるとともに複数の前記親骨を渦巻き状に湾曲させる張布と、を備え、
前記張布は、張布本体と、前記張布本体の中央に上方に向かって凸状に形成されたポケット部とを有し、
前記ポケット部は、上端部に前記上ロクロに固定された頂部を有し、下端部に下方に向かって開口する開口部を有するとともに、前記閉傘時に前記親骨が略直線状に復元されるのを許容する、
ことを特徴とする渦巻き傘。
【請求項２】
前記張布は、前記開傘時の渦巻き状の複数の前記親骨に倣って分割された複数の小間を張り合わせて構成されている、
ことを特徴とする請求項１に記載の渦巻き傘。
【請求項３】
隣接する２枚の前記小間は、視覚的な境界を構成する、
ことを特徴とする請求項２に記載の渦巻き傘。
【請求項４】
前記中棒と前記フローシャフトとは、一体的に構成されている、
ことを特徴とする請求項１ないし３のいずれか１項に記載の渦巻き傘。
【請求項５】
前記中棒と前記フローシャフトとは、別部材によって構成され、
前記フローシャフトは、前記中棒によって上下方向スライド可能に支持されるとともに、前記中棒と前記フローシャフトとの間に前記フローシャフトを上方に付勢する付勢部材が介装されている、
ことを特徴とする請求項１ないし３のいずれか１項に記載の渦巻き傘。
【請求項６】
前記付勢部材が圧縮ばねである、
ことを特徴とする請求項５に記載の渦巻き傘。
【請求項７】
前記付勢部材が引っ張りばねである、
ことを特徴とする請求項５に記載の渦巻き傘。
【請求項８】
複数の前記親骨は、その一部が、前記張布に対し、前記開傘時に渦巻き状となる位置に固定されている、
ことを特徴とする請求項１ないし７のいずれか１項に記載の渦巻き傘。
【発明の詳細な説明】
【技術分野】
【０００１】
本発明は、開傘時に複数の親骨が渦巻き状となる渦巻き傘に関する。
【背景技術】
【０００２】
一般的な傘は、長く延びる中棒の下端（基端）に手で握る手元（ハンドル）を有し、上端（先端）に石突を有しており、石突下部に設けられた上ロクロには、張布の中心が固定されるとともに複数の親骨の基端部が揺動可能に取り付けられている（例えば、特許文献１参照）。複数の親骨の先端の露先は、張布の外周縁を等分（例えば８等分）する位置のそれぞれに固定されている。また、中棒に沿って昇降可能な下ロクロには、複数の受け骨の基端部が揺動可能に取り付けられており、それぞれの受け骨の先端は、親骨の中間部に揺動可能に取り付けられている。このような傘は、下ロクロを上昇させることで複数の受け骨、親骨を介して開傘し（張布を開き）、また、下ロクロを下降させることで閉傘する（張布を閉じる）ことができる。
【０００３】
一般的な傘では、開傘状態では、親骨は、上方に向かって凸状に湾曲又は屈曲しているが、上方から見ると、複数の親骨は上ロクロを中心として放射状にまっすぐ延びるように見える。
【０００４】
上述の一般的な傘に対し、同じく上方から見たときの複数の親骨の形状が周方向に沿った同方向に渦巻き状に湾曲する、いわゆる渦巻き傘が考えられる。この渦巻き傘は、デザイン的に斬新で、使用者（所有者）にとって興趣あるものである。
【先行技術文献】
【特許文献】
【０００５】
【特許文献１】特開２００９−２０７８６７号公報
【発明の概要】
【発明が解決しようとする課題】
【０００６】
しかしながら、上述の渦巻き傘は、上述の一般的な傘と同様な構成を採用した場合には、閉傘することができないという問題が発生する。すなわち、一般的な傘にあっては、開傘時の親骨は、上下方向に湾曲しているのみであるため、支障なく閉傘することができるのに対し、渦巻き傘にあっては、開傘時の親骨は、上下方向に湾曲しているのに加え、上ロクロの周方向にも湾曲しているため、一般的な傘と同様な構成を採用した場合には、閉傘時に親骨の湾曲が解消されないために、張布には常時、過大な張力が発生する。このため、下ロクロを手元に近づけても、張布はラッパ状となって閉傘することができない。
【０００７】
本発明は、上述した事情に鑑みてなされたものであり、デザイン的に斬新であり、かつ、構造的に支承なく閉傘することを可能とした渦巻き傘を提供することを目的とするものである。
【課題を解決するための手段】
【０００８】
請求項１に係る発明は、手元から石突に向かって延びる中棒の前記手元側を下、前記石突側を上としたときに、下ロクロを中棒に沿って上昇させることで開傘し、下降させることで閉傘させる渦巻き傘において、前記石突に取り付けられた上ロクロと、前記上ロクロよりも前記手元側に配設されて前記中棒に沿って昇降可能な前記下ロクロと、前記中棒における前記上ロクロと前記下ロクロとの間に取り付けられた中ロクロと、基端側が前記中ロクロによって上下方向揺動可能に支持されるとともに前記中ロクロの周方向に沿って複数本配設された可撓性の親骨と、基端側が前記下ロクロによって上下方向揺動可能に支持されるとともに先端側が前記親骨の中間部に揺動可能に連結された複数の受け骨と、外周縁に沿った複数箇所にそれぞれ前記親骨の先端が固定され、前記開傘時の前記下ロクロの上昇に伴って前記受け骨及び前記親骨を介して開かれるとともに複数の前記親骨を渦巻き状に湾曲させる張布と、を備え、前記張布は、張布本体と、前記張布本体の中央に上方に向かって凸状に形成されたポケット部とを有し、前記ポケット部は、上端に前記上ロクロに固定された頂部を有し、下端に下方に向かって開口する開口部を有するとともに、前記閉傘時に前記親骨が略直線状に復元されるのを許容する、
ことを特徴とする。
【０００９】
請求項２に係る発明は、請求項１に係る渦巻き傘において、前記張布は、前記開傘時の渦巻き状の複数の前記親骨に倣って分割された複数の小間を張り合わせて構成されている、ことを特徴とする。
【００１０】
請求項３に係る発明は、請求項２に係る渦巻き傘において、隣接する２枚の前記小間は、視覚的な境界を構成する、ことを特徴とする。
【００１１】
請求項４に係る発明は、請求項１ないし３のいずれか１項に係る渦巻き傘において、前記中棒と前記石突とは、一体的に構成されている、ことを特徴とする。
【００１２】
請求項５に係る発明は、請求項１ないし３のいずれか１項に係る渦巻き傘において、前記中棒と前記石突とは、別部材によって構成され、前記石突は、前記中棒によって上下方向スライド可能に支持されるとともに、前記中棒と前記石突との間に前記石突を上方に付勢する付勢部材が介装されている、ことを特徴とする。
【００１３】
請求項６に係る発明は、請求項５に係る渦巻き傘において、前記付勢部材が圧縮ばねである、ことを特徴とする。
【００１４】
請求項７に係る発明は、請求項５に係る渦巻き傘において、前記付勢部材が引っ張りばねである、ことを特徴とする。
【００１５】
請求項８に係る発明は、請求項１ないし７のいずれか１項に係る渦巻き傘において、複数の前記親骨は、その一部が、前記張布に対し、前記開傘時に渦巻き状となる位置に固定されている、ことを特徴とする。
【発明の効果】
【００１６】
請求項１の発明によれば、張布にポケット部を設けることにより、閉傘時に親骨が直線状に延びることが可能となり、張布に不要な張力が作用しなくなるので、支障なく閉傘することができる。
【００１７】
請求項２の発明によれば、開傘時の親骨は、張布を構成する複数の小間の張り合わせ部分に一致するので、その姿勢が安定する。
【００１８】
請求項３の発明によれば、張布を構成する小間のうち、隣接する２枚の小間は、視覚的な境界を構成するので、デザイン的にも優れたものとなる。なお、視覚的な境界を構成するとは、例えば、隣接する２枚の小間を異なる色の小間とすることが含まれる。
【００１９】
請求項４の発明によれば、中棒と石突とが一体に構成されているので、構成を簡略化することができる。
【００２０】
請求項５の発明によれば、中棒と石突とを別部材で構成して、両者間に付勢部材を介装して石突を上方に付勢することにより、石突に取り付けられた上ロクロに固定されたポケット部の頂部を上方に向けて付勢することができ、ポケット部が不要に弛んだりすることを防止することができる。
【００２１】
請求項６の発明によれば、付勢部材として、圧縮ばねを採用することにより、例えば、圧縮ばねを採用する場合と比較して構成を簡単にすることができる。
【００２２】
請求項７の発明によれば、付勢部材として、引っ張りばねを採用することにより、例えば、圧縮ばねを使用する場合と比較して、ポケット部の最低必要長さ（上下方向の長さ）を短くすることができるので、渦巻き傘の設計の自由度が向上する。
【００２３】
請求項８の発明によれば、閉傘時に略直線状の親骨が、開傘開始時に、渦巻き状となる側へ湾曲しやすくなる。
【図面の簡単な説明】
【００２４】
【図１】渦巻き傘１の正面図である。
【図２】渦巻き傘１の上面図（図１中の渦巻き傘１を矢印II方向から見た図）である。
【図３】外装圧縮ばね式の渦巻き傘１の上部を説明する図であり、（Ａ）は開傘時、（Ｂ）は閉傘時を示す。
【図４】上ロクロ１４近傍を説明する上面図である。
【図５】開傘時の中ロクロ１５近傍を説明する上面図である。
【図６】（Ａ）は図５の部分拡大図、（Ｂ）は中ロクロ１５の斜視図である。
【図７】下ロクロ１６近傍を説明する図であり、（Ａ）は上面図、（Ｂ）は正面図、（Ｃ）は下ロクロ１６の斜視図である。
【図８】外装圧縮ばね式の渦巻き傘１における、フローシャフト（石突）１３を上方に付勢する付勢部材の構造を説明する分解斜視図である。
【図９】内装圧縮ばね式の渦巻き傘１の上部を説明する図であり、（Ａ）は開傘時、（Ｂ）は閉傘時を示す。
【図１０】内装引っ張りばね式渦巻き傘１の上部を説明する図であり、（Ａ）は開傘時、（Ｂ）は閉傘時を示す。
【図１１】内装引っ張りばね式の渦巻き傘１における、フローシャフト１３を上方に付勢する付勢部材の構造を説明する分解斜視図である。
【図１２】内装引っ張りばね式の渦巻き傘１における、フローシャフト１３を上方に付勢する付勢部材の構造を説明する一部破断斜視図である。
【発明を実施するための形態】
【００２５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２６】
図１〜図１２を参照して本発明を適用した実施形態１に係る渦巻き傘１について説明する。図１〜図１２のうち、図１〜図８は、外装圧縮ばね式の渦巻き傘１を説明する図であり、図１は、渦巻き傘１の正面図である。なお、以下の説明では、渦巻き傘１の上下方向について、渦巻き傘１の中心に位置して直線状に延びる中棒１１の一方の端部に設けられた手元１２側を「下側」、他方の端部側に設けられたフローシャフト（石突）１３側を「上側」として説明する。図２は、渦巻き傘１の上面図（図１中の渦巻き傘１を矢印II方向から見た図であり、Ｃ２，Ｃ３は中心線）である。図３は、外装圧縮ばね式の渦巻き傘１の上部を説明する図であり、（Ａ）は開傘時、（Ｂ）は閉傘時を示す。図４は、上ロクロ１４近傍を説明する上面図である。図５は、開傘時の中ロクロ１５近傍を説明する上面図である。図６は、図５の部分拡大図、（Ｂ）は中ロクロ１５の斜視図である。図７は、下ロクロ１６近傍を説明する図であり、（Ａ）は上面図、（Ｂ）は正面図、（Ｃ）は下ロクロ１６の斜視図である。図８は、外装圧縮ばね式の渦巻き傘１における、フローシャフト（石突）１３を上方に付勢する付勢部材の構造を説明する分解斜視図である。図９は、内装圧縮ばね式の渦巻き傘１の上部を説明する図であり、（Ａ）は開傘時、（Ｂ）は閉傘時を示す。図１０は、内装引っ張りばね式渦巻き傘１の上部を説明する図であり、（Ａ）は開傘時、（Ｂ）は閉傘時を示す。図１１は、内装引っ張りばね式の渦巻き傘１における、フローシャフト１３を上方に付勢する付勢部材の構造を説明する分解斜視図である。図１２は、内装引っ張りばね式の渦巻き傘１における、フローシャフト１３を上方に付勢する付勢部材の構造を説明する一部破断斜視図である。
【００２７】
渦巻き傘１は、図１に示すように、上下方向に延びる中棒１１と、この中棒１１の下端側に設けられた手元（ハンドル）１２と、上端側に設けられたフローシャフト（石突）１３と、このフローシャフト１３に設けられた上ロクロ１４と、中棒１１の上部に設けられた中ロクロ１５と、中棒１１における中ロクロ１５の下側に設けられた下ロクロ１６と、一方の端部（親骨基端具２１ａ）側が中ロクロ１５に取り付けられた複数の親骨２１と、下ロクロ１６と親骨２１とを連結する複数の受け骨２２と、親骨２１等を介して開閉される張布３０とを備えて構成されている。
【００２８】
中棒１１は、中心軸Ｃ１に沿って下側から上側に向かって直線状に延びる管状の部材であり、例えば、鉄製である。中棒１１の下端側には、使用者が手で握る手元１２が固定的に設けられている。一方、中棒１１の上端側には、フローシャフト１３が、後述するように中棒１１に対して、上下方向（長手方向）移動可能（スライド可能）に設けられている。また、中棒１１には、上端側に、中棒１１の外周から出没可能な上ハジキ１７が、また、下端側に、同じく中棒１１の外周から出没可能な下ハジキ１８が設けられていて、後述する下ロクロ１６に係脱可能である。
【００２９】
フローシャフト１３は、本実施形態においては、図８に示すように、トップパイプ１３ａとフローシャフトパイプ１３ｂとキャップ１３ｃと後述する上ロクロ１４とが一体に構成されていて、フローシャフト１３全体が、上述の中棒１１に対して、上下方向にスライド可能に挿入されている。すなわち、フローシャフト１３は、管状のトップパイプ１３ａの上端にキャップ１３ｃを嵌合し、トップパイプ１３ａの下端側からフローシャフトパイプ１３ｂの上端側を挿入して、トップパイプ１３ａ下端側のピン孔１３ｆとフローシャフトパイプ１３ｂ上端側のピン孔１３ｅとを合わせ、さらに、トップパイプ１３の下端に上ロクロ１４を嵌合して、図４に示すように、上ロクロ１４のピン孔１４ｃと上述のピン孔１３ｆ，１３ｅに上ロクロ固定ピン１９ａを挿入することで、全体が一体的に構成されている。また、フローシャフトパイプ１３ｂには、上下方向にスリット状のガイド溝１３ｄが形成されており、このガイド溝１３ｄに後述する中ロクロ固定ピン１９ｂが、フローシャフトパイプ１３ｂの直径方向に貫通されている。
【００３０】
フローシャフト１３は、中棒１１に対して、上下方向スライド可能である。中棒１１の上端には、後述する中ロクロ１５が、中ロクロクギ孔１５ｃに中ロクロ固定ピン１９ｂが挿入されることで固定されている。フローシャフト１３は、フローシャフトパイプ１３ｂの下端側を、付勢部材としての圧縮ばね（外装圧縮ばね）１９に上方から挿入し、さらに中棒１１の上端から内側に挿入し、ガイド溝１３ｄに、上述の中ロクロ固定ピン１９ｂが貫通されている。また、圧縮ばね１９の上端は、上ロクロ１４の下面側に当接され、圧縮ばね１９の下端は、中ロクロ１５の上面に当接されている。これにより、フローシャフト１３全体は、中棒１１によってスライド可能に支持されるとともに、上方に付勢されている。
【００３１】
上ロクロ１４は、図３，図８に示すように、略円盤状に形成されていて、上述のように、フローシャフト１３に固定的に取り付けられている。この上ロクロ１４には、後述する張布３０のポケット部３２の頂部３２ａが固定されている。上ロクロ１４の上側には、図３に示すように、上天紙１４ｂが取り付けられ、この上にポケット部３２の頂部３２ａが重ねられ、さらに、菊座１４ａが重ねられ、この菊座１４ａの上に陣傘１４ｄが被せられている。なお、上ロクロ１４を含む、これよりも上側の構造は、図９を参照して後述する内装圧縮ばね式の渦巻き傘１（フローシャフト１３を上方に付勢する付勢部材として内装圧縮ばね１９Ａを使用した渦巻き傘１）、及び図１０〜図１２を参照して後述する内装引っ張りばね式の渦巻き傘１（フローシャフト１３を上方に付勢する付勢部材として内装引っ張りばね１９Ｂを使用した渦巻き傘１）についても同様である。
【００３２】
中ロクロ１５は、図３，図５，図６（Ａ），（Ｂ）に示すように、略円盤状に形成されていて、上述のように、フローシャフトパイプ１１の上端に中ロクロ固定ピン１９ｂを介して固定されている。中ロクロ１５は、図６に示すように、周方向を等分（本実施形態では、８等分）する位置に中ロクロ縦溝１５ｄが形成されており、さらに、中ロクロ縦溝１５ｄ以外の部分に中ロクロ横溝１５ａが形成されている。中ロクロ１５の上側には、図３（Ａ）に示すように、開傘時に親骨基端部２１ａの上側を覆うように開かれて、ポケット部３２の底部３２ｂを覆う中天紙１５ｅが設けられている。なお、図６では、８本の親骨２１のうち、４本の図示は省略している。この中ロクロ横溝１５ａに例えば、針金１５ｂを円環状に嵌めることにより、この針金１５ｂにおける中ロクロ縦溝１５ｄに対応する部分が、後述する親骨２１の親骨基端具２１ａの揺動中心を構成する。
【００３３】
下ロクロ１６は、図７（Ａ）〜（Ｃ）に示すように、円盤部１６ａとその下端側の筒状部１６ｂとを有しており、中棒１１の外周部に遊嵌されていて、中棒１１に対して上下方向スライド可能に構成されている。円盤部１６ａには、上述の中ロクロ１５の中ロクロ縦溝１５ｄ、中ロクロ横溝１５ａ、針金１５ｂと同様の、下ロクロ縦溝１６ｄ、下ロクロ横溝１６ｃ、針金１６ｅが設けられていて、針金１６ｅによって、後述する８本の受け骨２２の基端２２ａを揺動可能に支持している。下ロクロ１６は、フローシャフトパイプ１１に沿って上昇し、その下端が下側から上ハジキ１７を超えることで、後述する張布３０が開傘位置Ｐ１に保持される。下ロクロ１６は、上ハジキ１７を中棒１１に押し込むことで下降が可能となり、さらに下降させて縦溝１６ｆを下ハジキ１８に係合させることで、張布３０が閉傘位置Ｐ２に保持される。そして、下ロクロ１６は、下ハジキ１８を中棒１１に押しこむことで、上昇が可能となる。
【００３４】
親骨２１は、本実施形態では、８本が放射状に設けられている。親骨２１は、それぞれの親骨基端具２１ａの基端が上述のように、中ロクロ１５によって上下方向揺動可能に支持されており、それぞれの先端は、張布３０の周縁を８等分する位置のそれぞれに固定された小さいキャップに挿入されることで、いわゆる露先２１ｂを構成している。親骨２１としては、張力が作用した際には、比較的容易に湾曲するとともに、張力が除去された際には、略直線状に復元される材質のもの、例えば、ファイバー製のものが好適である。
【００３５】
受け骨２２は、親骨２１と同様の８本が設けられている。受け骨２２は、それぞれ基端２２ａが下ロクロ１６によって上下方向揺動可能に支持されるとともに、先端側が、親骨２１の途中に揺動可能に連結されている。
【００３６】
上述の親骨２１及び受け骨２２は、下ロクロ１６が下ハジキ１８に係合される閉傘時には、中棒１１に略沿うようにして配置されており、この状態から、下ロクロ１６の、下ハジキ１８に対する係合を解除して、下ロクロ１６を上昇させることにより、まず、受け骨２１が開かれ、これにより、図１に示すように、親骨２２が渦巻き状に開かれるようになっている。なお、親骨２２が渦巻き状に湾曲するのは、次に説明する張布３０が、開傘時に親骨を湾曲させるための張力を発生できるような形状及び大きさに形成されているからである。
【００３７】
張布３０は、図２に示すように、８枚の渦巻き状の小間Ａ１〜Ａ８によって構成されている。これら小間Ａ１〜Ａ８は、隣接するもの相互が渦巻き状の境界Ｂによって繋ぎ合わされている。これら小間Ａ１〜Ａ８によって構成される張布３０は、張布本体３１（小間Ａ１〜Ａ８を張り合わせた布であって、ポケット部３２以外の部分）と、張布本体３１の中央（中心）に配置されるポケット部３２とを備えて構成されている。このうち張布本体３１は、開傘時に親骨２１に沿って保持される部分であり、張布３０のかなりの面積を占めている。一方、ポケット部３２は、親骨２１の親骨基端具２１ａの基端近傍に対応して設けられる部分であり、開傘時には、親骨２１から離れて略円錐状を形成する。ポケット部３２は、その上端に位置する頂部３２ａが上述の上ロクロ１４に固定されている。上述のように、上ロクロ１４は、フローシャフト１３と一体に構成されていて、中棒１１に対して圧縮ばね１９により上方に付勢されている。これにより、ポケット部３２は、開傘時には、下端側に位置する底部３２ｂが下方に向かって開口された開口部となる。張布３０は、ポケット部３２の頂部３２ａが上ロクロ１４に固定され、張布本体３１の周縁部の８箇所が露先２１ｂに固定されている以外は、特に親骨２１には固定されていない。なお、親骨２１の長手方向の途中の一部を張布本体３１に縫い付ける等して固定してもよい。この場合の固定位置は、開傘時に親骨２１の湾曲方向が一定方向となるようなきっかけを作ることが可能な位置とする。
【００３８】
図３（Ａ）に示すように、張布３０のうち、張布本体３１とポケット部３２との境界（８角形又は円形）を境界Ｓとすると、張布本体３１は、開傘時には親骨２１に接触し、ポケット部３２は、付勢部材としての外装圧縮ばね１９に付勢されて親骨２１から離れるようになっている。そして、ポケット部３２における、境界から頂部３２ａに至る長さＬ１は、親骨２１における、境界から揺動中心（針金１５ｂ）に至る長さＬ２よりも長く設定されている。これにより、開傘時に渦巻き状に湾曲した親骨２１が、閉傘時には略直線状に延びる余裕をポケット部３２に設けている。なお、従来の一般的な傘は、張布の中心（中央）と親骨の基端部とが同じ上ロクロに取り付けられて、上述のＬ１とＬ２とが略同じに設定されているため、同様に渦巻き傘を構成した場合には、閉傘時に親骨２１の湾曲が解消されることがないため、逆に、閉傘することができない。
【００３９】
なお、Ｌ１とＬ２との差を、大きく設ければ、閉傘時に親骨２１が完全に直線状に延びるように構成することができ、また、Ｌ１とＬ２との差を比較的小さく設定すれば、閉傘時に親骨が完全に直線状に延びずに、少し湾曲した状態をつくりだすことができ、この場合には、開傘時に親骨２１が決まった方向に渦巻き状に大きく湾曲する際のきっかけとなるものである。
【００４０】
本実施形態においては、親骨２１の長さ、張布３０の大きさ，形状等を、開傘時に親骨２１が渦巻き状に変形するように設定されている。このため、上述のポケット部３２がない場合（一般的な傘と同様、中ロクロがなく、上ロクロに親骨の基端及び張布の中央が固定されている場合）には、渦巻き状の親骨２１の張力によって、閉傘することができない。これに対し、本実施形態では、上述のようなポケット部３２を設けることにより、閉傘時には、親骨２１に引っ張られた張布３０は、ポケット部３２の頂部３２ａを介して、圧縮ばね１９を短縮することができるため、閉傘を可能にする。
【００４１】
すなわち、図３（Ａ）に示すように、下ロクロ１６が上ハジキ１７に係合されている開傘時には、張布３０によって、親骨２１が渦巻き状に湾曲される。この際、張布３０のうち、張布本体３１は、親骨２１に接触して親骨２１によって支持（保持）される。一方、ポケット部３１は、フローシャフト１３が圧縮ばね１９によって上方に付勢されていることに伴い、上ロクロ１４に固定されている頂部３２ａが上方に付勢されるため、同図に示すように、略円錐状（８角錐状）を形成して、外見を良好に保つことが可能となる。一方、下ロクロ１６が下ハジキ１８に係合される閉傘時には、図３（Ｂ）に示すように、張布３０は、親骨２１が中棒１１に沿って略直線状に延びることにより、全体が露先２１ｂ側に引っ張られる。これにより、頂部３２ａを介して上ロクロ１４が圧縮ばね１９の付勢力に抗して押し下げられる。逆に言えば、上ロクロ１４が押し下げられることにより、親骨２１が略直線状に延びることが可能となり、これにより、閉傘が可能となる。
【００４２】
ここで、渦巻き傘１の変形例について説明する。中棒１１に対して、フローシャフト１３を固定的に構成することも可能である。この場合は、中ロクロ１５に対して上ロクロ１４の位置が固定され、また、圧縮ばね１９等を省略することが可能である。例えば、中ロクロ１５に対して、上ロクロ１４の位置を図３（Ｂ）に示す位置に固定する。この場合、（Ｂ）に示すのと同様、閉傘が可能である。一方、開傘時には、（Ａ）とは異なり、上ロクロ１４が上昇することはないので、ポケット部３２は、（Ｂ）に示す中ロクロ１５と上ロクロ１４との位置の間で、だぶつくことになる。このだぶつきを許容するのであれば、このように、上ロクロ１４を固定的に構成することが可能であり、この場合でも、渦巻き傘の開傘及び閉傘が可能となる。
【００４３】
図９（Ａ），（Ｂ）に、付勢部材として、上述の外装圧縮ばね１９に代えて、内装圧縮ばね１９Ａを使用した例を示す。内装圧縮ばね１９Ａを中棒１１の内側に配設する。内装圧縮ばね１９Ａの下端は、中棒１１に固定したばね基底リベット１９ｃで受け、内装圧縮ばね１９Ａの上端は、フローシャフト１３の下端で受ける。この例のように、内装圧縮ばね１９Ａを使用した場合、上述の外装圧縮ばね１９を使用した場合と比較して、圧縮ばねが外側に露出しないため、安全で見た目がよく、さらに、圧縮ばねのばね定数や長さについての設計の自由度が増す。
【００４４】
図１０（Ａ），（Ｂ）、図１１、図１２を参照して、付勢部材として、外装圧縮ばね１９や内装圧縮ばね１９Ａに代えて、内装引っ張りばね１９Ｂを使用した例を示す。図８に示すように、上端に中ロクロ１５が固定された中軸１１、この中軸１１に対して長手方向（上下方向）スライド可能なフローシャフト１３を構成及び動作は、図８に示すものと同様である。内装引っ張りばね１９Ｂは、フローシャフト１３の下端側の内側に配設され、その上端のフック１９ｆは、中軸１１に中ロクロ１５を固定している中ロクロ固定ピン１９ｂに係合され、下端には、円錐状の留め具１９ｄが取り付けられている。この留め具１９ｄは、広がった下端１９ｅが、フローシャフト１３の下端縁に下方から係合されている。内装引っ張りばね１９Ｂは、図１０（Ａ）に示す開傘時には短縮され、図１０（Ｂ）に示す閉傘時には伸長される。渦巻き傘１にこのような内装引っ張りばね１９Ｂを使用した場合には、ばねが外部に露出しないため、安全上また外観上好ましく、また、上述の内装圧縮ばね１９Ａとの比較においても、さらに、圧縮ばねのばね定数や長さについての設計の自由度が大幅に増す。
【符号の説明】
【００４５】
１  渦巻き傘
１１  中棒
１２  手元（ハンドル）
１３  フローシャフト（石突）
１４  上ロクロ
１５  中ロクロ
１９  外装圧縮ばね（付勢部材）
１９Ａ  内装圧縮ばね（付勢部材）
１９Ｂ  内装引っ張りばね（付勢部材）
１６  下ロクロ
２１  親骨
２２  受け骨
３０  張布
３１  張布本体
３２  ポケット部
３２ａ  頂部
【図１】
2012139426.tif 000003
【図２】
2012139426.tif 000004
【図３】
2012139426.tif 000005
【図４】
2012139426.tif 000006
【図５】
2012139426.tif 000007
【図６】
2012139426.tif 000008
【図７】
2012139426.tif 000009
【図８】
2012139426.tif 000010
【図９】
2012139426.tif 000011
【図１０】
2012139426.tif 000012
【図１１】
2012139426.tif 000013
【図１２】
2012139426.tif 000014